(57)【要約】【課題】  遊技盤面に発射された遊技球が流入可能な球流入装置を備える遊技機において、球流入装置内に流入した遊技球が、遊技者に有利となる特定の球通過領域を通過するまでの過程に関し、遊技者の興趣を高めるのに有効な技術を提供する。【解決手段】  パチンコ機１０１は、遊技球がＶ入賞ゾーン１４０を通過したことを条件に特定遊技を発生させる構成であり、Ｖ入賞ゾーン１４０の上流の球流下領域において、遊技球の流下経路を可変とするように動作する球振分け装置１３０を備える。【選択図】      図１
2006006839.tif 000002
【特許請求の範囲】
【請求項１】
遊技盤面に発射された遊技球が流入可能な球流入装置と、前記球流入装置内に流入した遊技球が通過可能な第１の球通過領域及び第２の球通過領域とを備え、遊技球が前記第１の球通過領域を通過したことを条件に特定遊技を発生させ、遊技球が前記第２の球通過領域を通過したときには前記特定遊技を発生させない構成の遊技機であって、
前記第１の球通過領域及び第２の球通過領域の上流の球流下領域において、遊技球の流下経路を可変とするように動作する流下経路可変手段を備える構成であることを特徴とする遊技機。
【発明の詳細な説明】
【技術分野】
【０００１】
本発明は、パチンコ機等の遊技機の構成に関する技術である。
【背景技術】
【０００２】
従来、所定の入賞条件の成立によって開閉する入賞装置を有するパチンコ機が知られている。例えば、入賞装置内に入球した遊技球が入賞可能な特別入賞口を備えたパチンコ機の構成が公知である（例えば、特許文献１参照。）。このパチンコ機は、遊技球が始動口に入賞し入賞装置が開放されたとき、当該入賞装置内に入球した遊技球が特定の球通過領域を通過することによって特定遊技が発生し、それ以外の領域を遊技球が通過した場合には特定遊技が発生しない構成を有する。
ところで、この種のパチンコ機では、球流入装置内に流入した遊技球が、特別入賞口のような遊技者に有利となる特定の球通過領域を通過するまでの過程に関し、遊技者の興趣を高めるべく一層の技術的探求が要請される。
【特許文献１】特開平６−２３８０４５号公報
【発明の開示】
【発明が解決しようとする課題】
【０００３】
そこで、本発明は、かかる点に鑑みてなされたものであり、遊技盤面に発射された遊技球が流入可能な球流入装置を備える遊技機において、球流入装置内に流入した遊技球が、遊技者に有利となる特定の球通過領域を通過するまでの過程に関し、遊技者の興趣を高めるのに有効な技術を提供することを課題とする。
【課題を解決するための手段】
【０００４】
前記課題を達成するために、本発明が構成される。なお、本発明でいう「遊技機」としては、パチンコ機、アレンジボール機などが典型的なものである。
【０００５】
（請求項１に記載の発明）
前記課題を達成する請求項１に記載の遊技機は、球流入装置、第１の球通過領域、第２の球通過領域、流下経路可変手段を少なくとも備えている。
本明細書でいう「球流入装置」とは、遊技盤面に発射された遊技球を装置内に受け入れて当該遊技球が装置内において流下することが可能な各種の装置を広く含む主旨であり、典型的には、遊技球の流下に影響を及ぼすことが可能な役物、例えば、装置内部に遊技球の球通過領域を有する構成の役物や、単に遊技球の通過を許容する構成の役物などを包含する。より具体的には、内部に遊技球の球通過領域を有し、遊技球の入賞によって賞球を付与することが可能な入賞装置が本発明における「球流入装置」の一例である。
【０００６】
本発明の第１の球通過領域及び第２の球通過領域は、球流入装置内を流下した遊技球が通過可能な領域である。本発明では、遊技球が第１の球通過領域を通過したことを条件に特定遊技、典型的には大当たりのときに遊技者に付与される「特別の遊技状態」を発生させ、遊技球が第２の球通過領域を通過したときには特定遊技を発生させない構成になっている。この「特別の遊技状態」は、遊技者に所定の特典が付与された遊技態様であり、典型的には大当たり遊技状態がこれに該当する。より詳しくは、特定入賞口を遊技球が通過することを条件として、所定数の遊技球が入賞装置内に流入するまでの間当該入賞装置の流入口の開閉動作を継続させる態様、あるいは入賞装置の所定回数の開閉動作を継続させる態様が「特別の遊技状態（大当たり遊技状態）」に相当する。
【０００７】
なお、これら第１の球通過領域や第２の球通過領域の種類、数は限定されず、必要に応じて適宜変更可能である。例えば、第１の球通過領域及び第２の球通過領域に加え、これら球通過領域以外の球通過領域が設けられていてもよい。また、本発明は、球流入装置の内部に球通過領域を備えた構成、球流入装置の外部に球通過領域を備えた構成を包含する。すなわち、本発明では、球流入装置内に複数の球通過領域を備えており球流入装置内に入球した遊技球が球流入装置内において各球通過領域を通過する構成や、球流入装置外であって当該球流入装置の下流に複数の球通過領域を備えており球流入装置内に入球した遊技球が球流入装置内を流下したのちに球通過領域を通過する構成等を採り得る。また、本発明でいう「通過」は、種々の通過口、また通過口以外の各種球受口（領域）に遊技球が流入し通過する状態をいう。
【０００８】
本発明の流下経路可変手段は、第１の球通過領域及び第２の球通過領域の上流の球流下領域において、遊技球の流下経路を可変とするように動作する機能を有する手段である。典型的には、遊技球の流下経路を形成する部材を駆動することによって、流下経路自体の形状を変更したり、遊技球の流下態様に影響を及ぼすような部材を駆動することによって、遊技球の流下経路を変更する構成を、本発明の流下経路可変手段として用いることができる。これにより、流下経路可変手段の動作によって、球流下領域を第１の球通過領域や第２の球通過領域に向けて流下する遊技球の流下経路が変化することとなる。
【発明の目的及び効果】
【０００９】
以上のように、「遊技盤面に発射された遊技球が流入可能な球流入装置を備える遊技機において、球流入装置内に流入した遊技球が、遊技者に有利となる特定の球通過領域を通過するまでの過程に関し、遊技者の興趣を高めるのに有効な技術を提供する。」という目的に対し、
本発明によれば、「第１の球通過領域及び第２の球通過領域の上流の球流下領域において、遊技球の流下経路を可変とするように動作する流下経路可変手段を用いることによって、球流入装置内に流入した遊技球が、遊技者に有利となる第１の球通過領域を通過するまでの過程に関し、遊技球の流下経路が変化することとなるため、流下経路可変手段の動作によって遊技者の目を惹きつけることが可能となる。」という効果を奏することとなる。
【発明を実施するための最良の形態】
【００１０】
以下に、本発明の「遊技機」の一実施の形態であるパチンコ機を図面を参照しつつ詳細に説明する。
【００１１】
（第１実施の形態）
まず、図１〜図１３に基づいて本発明の第１実施の形態であるパチンコ機１０１について説明する。
本発明の遊技機の第１実施の形態であるパチンコ機１０１の遊技盤１０３の全体構成が図１に示される。図１に示すパチンコ機１０１は、いわゆる「第２種パチンコ機」と呼称される機種である。このパチンコ機１０１の遊技盤１０３の表面に形成された遊技領域１０５には、第２種始動口１０７，１０９、電動役物装置１１０、その他、特に符号を付さない入賞口、風車、多数の遊技釘等が配置されている。本実施の形態では、１つの第２種始動口１０７の左右両側に第２種始動口１０９が配置されている。第２種始動口１０７に入賞した遊技球（パチンコ玉）は、始動口センサ１５０によって検出され、第２種始動口１０９に入賞した遊技球は、始動口センサ１５１によって検出されるようになっている。
【００１２】
電動役物装置１１０は、遊技盤１０３面に発射された遊技球が流入可能な装置であり、当該電動役物装置１１０の上部の左右に大入賞口１１１、およびこれらの大入賞口１１１を開閉する左右１対の開閉羽根１１２を備えている。この電動役物装置１１０が、本発明における「球流入装置」に対応している。図１では、大入賞口１１１を開放した状態の開閉羽根１１２を二点鎖線で示しており、大入賞口１１１を閉鎖した状態の開閉羽根１１２を実線で示している。この開閉羽根１１２は、第２種始動口１０７，１０９に入賞した遊技球が始動口センサ１５０，１５１によって検出された場合に、開閉動作するように構成されている。典型的には、第２種始動口１０７に遊技球が入賞し、始動口センサ１５０が遊技球を検出した場合に開閉羽根１１２が開閉動作を２回連続で行い、第２種始動口１０９に遊技球が入賞し、始動口センサ１５１が遊技球を検出した場合に開閉羽根１１２が開閉動作を１回行う。
【００１３】
大入賞口１１１を通じて電動役物装置１１０内へ流入した遊技球は、大入賞口センサ１５２によって検出されたのち、当該電動役物装置１１０の左側方の球流通路１１４または右側方の球流通路１１５を流下する。その後、遊技球は、球停留装置１２０へと流下し、次いで球停留装置１２０の下流の球振分け装置１３０へと流下する。この球振分け装置１３０の下流には、Ｖ入賞検出センサ１４２を備えるＶ入賞ゾーン１４０が設けられており、遊技球がＶ入賞検出センサ１４２によって検出されると、いわゆる「大当たり」となり、遊技者に後述する「特別の遊技状態」が付与されるようになっている。このＶ入賞ゾーン１４０は、遊技球の通過を条件にして特定遊技を発生させる領域であり、本発明における「第１の球通過領域」に対応している。これに対し、Ｖ入賞ゾーン１４０の両側の領域は、遊技球が通過しても特定遊技を発生させない領域であり、本発明における「第２の球通過領域」に対応している。
【００１４】
ここで、上記電動役物装置１１０内の配置された球停留装置１２０及び球振分け装置１３０の詳細構成及び作用を図２〜図１２を参照しながら説明する。
【００１５】
図１中の球停留装置１２０及び球振分け装置１３０の平面図が図２に示され、当該球停留装置１２０及び球振分け装置１３０の正面図が図３に示され、当該球停留装置１２０及び球振分け装置１３０の斜視図が図４に示される。
図２〜図４に示すように、本実施の形態の球停留装置１２０は、棚板１２２、球停留部材１２３を少なくとも備える。この球停留装置１２０は、電動役物装置１１０内へ流入した遊技球の停留及び停留解除を可能とする機能を有する装置である。この球停留装置１２０が、後述する態様８における「球停留手段」に対応している。
【００１６】
棚板１２２は、装置本体１２１の上部において水平状に延在する棚板であり、球流通路１１４，１１５を流下した後の遊技球が、球停留部材１２３側へ流下するまでの間で左右方向や前後方向に転動可能な領域として構成される。
【００１７】
球停留部材１２３は、「ＵＦＯ」の形状を模した形状であり、棚板１２２の下流において当該棚板１２２に対し上下方向（図３中の矢印１４方向または矢印１６方向）に移動可能に構成され、且つ左右方向（図２中の矢印１０方向または矢印１２方向）に交互に１８０度の回転動作が可能となっている。詳細については後述するが、この球停留部材１２３は、その上下動作によって、電動役物装置１１０内へ流入した遊技球の停留を可能とする「球停留モード」と、遊技球の停留を解除する「球停留解除モード」を形成するように構成されている。
【００１８】
球停留部材１２３の下流には、装置本体１２１の前面部分に、遊技球の流通が可能な中央開口１２４、及び中央開口１２４の両側に形成された左右一対の側部開口１２５，１２５を備える。これら中央開口１２４及び側部開口１２５，１２５は、球振分け装置１３０側への遊技球の流下を許容する開口として構成される。
【００１９】
ここで、上記構成の球停留部材１２３の動作態様に関し、図４中の球停留装置１２０が「球停留モード」に設定された状態の側面図が図５に示され、当該球停留装置１２０が「球停留解除モード」に設定された状態の側面図が図６に示される。
【００２０】
（球停留装置１２０の球停留モード）
図５に示す球停留モードにおいて、球停留部材１２３が上側の位置に設定されたときには、棚板１２２と球停留部材１２３との境界部分の隙間が遊技球の大きさよりも小さくなるように縮小され、多数の遊技球が停留可能となる大きさの球停留部１２３ａが形成される構成になっている。これにより、この球停留モードにおいて球停留部材１２３へと流下した遊技球は、球停留部１２３ａに不確定状態で停留される。また、この球停留部材１２３は、球停留部１２３ａの中央部に、遊技球１個分の領域を区画する左右一対の突起部材１２３ｂ，１２３ｂを備え、当該領域に遊技球を停留することが可能となっている。当該領域は、球停留部１２３ａの各部位のうち最前面に配置される領域として構成される。
【００２１】
（球停留装置１２０の球停留解除モード）
一方、図６に示す球停留解除モードにおいて、球停留部材１２３が上側の位置（図中の二点鎖線で示す位置）から下側の位置に設定されたときには、棚板１２２と球停留部材１２３との境界部分の隙間が、遊技球１個分の大きさよりも大きくなるように拡張される構成になっている。これにより、この球停留解除モードでは、球停留モードにおいて球停留部１２３ａに停留していた遊技球の停留が解除され、遊技球の流下が許容される。このとき、突起部材１２３ｂ，１２３ｂによって区画された領域、すなわち球停留部１２３ａの中央部に停留していた遊技球は、球停留部１２３ａの各部位のうちの最前面に停留していたため、他の遊技球に優先して中央開口１２４へ向けて流下することとなる。
【００２２】
図２〜図４に戻って、本実施の形態の球振分け装置１３０は、回転部材１３１、ガイド部材１３２，１３２、第１のレール部材１３３，１３３、第２のレール部材１３４，１３４、誘導口１３５を少なくとも備える。この球振分け装置１３０は、電動役物装置１１０内へ流入した遊技球を、球停留装置１２０の下流において振分け、遊技球の流下経路を可変とするように動作する機能を有する装置である。この球振分け装置１３０が、本発明における「流下経路可変手段」を構成する。
【００２３】
回転部材１３１は、円板状に形成され、左右方向（図２中の矢印２０方向または矢印２２方向）に交互に１８０度の回転動作が可能となっている。この回転部材１３１は、その上面の前方側の高さが低くなるように傾斜しているとともに、その中央部から縁部までの間に長尺状に延在する、ほぼ遊技球１個分の溝幅の溝部１３１ａを備える。回転部材１３１が回転動作すると、溝部１３１ａの延在方向が変わり縁部側の開口の位置が変わることとなり、これにより溝部１３１ａを流下する遊技球の向きが左右に可変とされる。
【００２４】
回転部材１３１の両側には、前後方向（図２中の上下方向）に長手状に延在するガイド部材１３２，１３２が配置されている。これらガイド部材１３２，１３２によって区画される領域（本発明における「球流下領域」を構成する）のうち、回転部材１３１よりも前方に区画領域１３２ａを形成する。この、区画領域１３２ａに左右一対の第１のレール部材１３３，１３３及び第２のレール部材１３４，１３４が配置されている。
【００２５】
左右一対の第１のレール部材１３３，１３３及び第２のレール部材１３４，１３４は、各々が球流下方向に沿って前後方向（図２中の上下方向）に長手状に延在するとともに、遊技球の通過を許容する間隔の球通過経路をあけて球流下方向と交差する方向に沿って左右方向（図２中の左右方向）に配置された計４つの円柱棒状の部材（後述する態様１〜態様３における「複数の棒状部材」に対応している）として構成される。左右一対の第１のレール部材１３３，１３３が、区画領域１３２ａの中央部に配置され、左右一対の第２のレール部材１３４，１３４が、左右一対の第１のレール部材１３３，１３３の外方に配置されている。これにより、区画領域１３２ａに計３つの球通過経路が形成されることとなる。具体的には、図２中に示すように、左右一対の第１のレール部材１３３，１３３に第１の球通過経路１３６が形成され、右側の第１のレール部材１３３と右側の第２のレール部材１３４との間に第２の球通過経路１３７が形成され、左側の第１のレール部材１３３と左側の第２のレール部材１３４との間に第３の球通過経路１３８が形成される。このように、左右方向に配置された左右一対の第１のレール部材１３３，１３３及び第２のレール部材１３４，１３４が、遊技球の流下方向に沿って前後方向に長手状に延在する構成によれば、第１の球通過経路１３６、第２の球通過経路１３７、第３の球通過経路１３８を球通過経路上流側から球通過経路下流側へと流下する遊技球の流下態様の変化が遊技者からみて判り易い。
なお、左右一対の第１のレール部材１３３，１３３が、後述する態様２，３における「一対の第１の棒状部材」に対応しており、第２のレール部材１３４が、後述する態様２，３における「一対の第１の棒状部材のうち少なくとも一方の第１の棒状部材の外方に配置される第２の棒状部材」に対応している。また、第１の球通過経路１３６が、後述する態様２，３における「第１の球通過経路」に対応しており、第２の球通過経路１３７または第３の球通過経路１３８が、当該態様２，３における「第２の球通過経路」に対応している。
【００２６】
また、本実施の形態では、第１のレール部材１３３は、球流下方向下流側（第１の球通過経路１３６の球通過経路下流側）の高さが、球流下方向上流側（第１の球通過経路１３６の球通過経路上流側）よりも低くなるように傾斜しており、第２のレール部材１３４との相対的な関係でいえば、第１のレール部材１３３の球流下方向下流側における上下方向の高さが、第２のレール部材１３４の球流下方向下流側における上下方向の高さよりも低くなるように構成されている。これにより、第１のレール部材１３３，１３３の間の第１の球通過経路１３６を球通過経路下流側へ向けて遊技球が転動し易い経路が形成される。
【００２７】
また、詳細については後述するが、本実施の形態では、４つのレール部材のうち、２つの第２のレール部材１３４，１３４は固定側のレール部材を構成し、２つの第１のレール部材１３３，１３３は、２つの第２のレール部材１３４，１３４に対し可動側のレール部材となる。これにより、球振分け装置１３０は、第１のレール部材１３３，１３３と第２のレール部材１３４，１３４との相対位置が異なる複数の球振分けモード（少なくとも、後述する「第１の球振分けモード」及び「第２の球振分けモード」）を切り換え可能となっている。この球振分け装置１３０を、「第１の球振分けモード」及び「第２の球振分けモード」に加え、更に別の球振分けモードに設定される構成としてもよい。
【００２８】
誘導口１３５は、区画領域１３２ａの中央部であってＶ入賞ゾーン１４０の真上に設置された左右一対の板状部材によって構成され、このＶ入賞ゾーン１４０に向けて遊技球を誘導する誘導口を形成する。この誘導口１３５を構成する左右一対の板状部材の間隔は、ほぼ遊技球１個分の大きさに対応して設定されている。
【００２９】
ここで、上記球振分け装置１３０を構成する第１のレール部材１３３，１３３、第２のレール部材１３４，１３４の動作及び作用を、図７〜図１２を参照しながら説明する。ここで、図４中の球振分け装置１３０が「第１の球振分けモード」に設定された状態の平面図が図７に示され、当該球振分け装置１３０の正面図が図８に示され、当該球振分け装置１３０の斜視図が図９に示されている。また、図４中の球振分け装置１３０が「第２の球振分けモード」に設定された状態の平面図が図１０に示され、当該球振分け装置１３０の正面図が図１１に示され、当該球振分け装置１３０の斜視図が図１２に示されている。
【００３０】
（球振分け装置１３０の第１の球振分けモード）
図７〜図９に示す第１の球振分けモードに設定された球振分け装置１３０では、第１のレール部材１３３，１３３及び第２のレール部材１３４，１３４は、左右方向に関し互いに平行状に配置されるとともに、上下方向に関し第１のレール部材１３３の球流下方向下流側が、第２のレール部材１３４の球流下方向下流側よりも若干低所（高低差ｄ４）に配置される。また、第１のレール部材１３３，１３３間の第１の球通過経路１３６の間隔ｄ１、右側の第１のレール部材１３３と右側の第２のレール部材１３４との間の第２の球通過経路１３７の間隔ｄ２、左側の第１のレール部材１３３と左側の第２のレール部材１３４との間の第３の球通過経路１３８の間隔ｄ３が、いずれも遊技球の外径よりも若干小さくなるように配置される。
【００３１】
球振分け装置１３０のこのような第１の球振分けモードにおいて、回転部材１３１の溝部１３１ａが中央位置（図７中の実線で示す位置）に延在したとき、当該溝部１３１ａを通った遊技球は、第１のレール部材１３３，１３３の間の第１の球通過経路１３６を球通過経路下流側へ流下し、高い確率で誘導口１３５に流入する。これに対し、回転部材１３１の溝部１３１ａが側方位置（図７中の二点鎖線で示す位置）に延在したとき、当該溝部１３１ａを通った遊技球は、右側の第１のレール部材１３３と右側の第２のレール部材１３４と間の第２の球通過経路１３７、または左側の第１のレール部材１３３と左側の第２のレール部材１３４との間の第３の球通過経路１３８を球通過経路下流側へ流下する。この遊技球は、誘導口１３５に流入する可能性が低い。
【００３２】
（球振分け装置１３０の第２の球振分けモード）
一方、図１０〜図１２に示す第２の球振分けモードに設定された球振分け装置１３０では、第１のレール部材１３３，１３３は、その球流下方向下流側（第１の球通過経路１３６の球通過経路下流側）が外方へ移動し、第２のレール部材１３４，１３４に近接するように駆動される。すなわち、第１のレール部材１３３，１３３は、その前方側が開放動作する。これにより、第１のレール部材１３３，１３３間の第１の球通過経路１３６の間隔ｄ１は、球通過経路下流側が第１の球振分けモード時よりも拡張されるとともに、右側の第１のレール部材１３３と右側の第２のレール部材１３４との間の第２の球通過経路１３７の間隔ｄ２、及び左側の第１のレール部材１３３と左側の第２のレール部材１３４との間の第３の球通過経路１３８の間隔ｄ３は、いずれも球通過経路下流側が第１の球振分けモード時よりも縮小される。なお、このとき、第１のレール部材１３３の前方側と、第２のレール部材１３４の前方側との間の上下方向に関する高低差ｄ４は、第１の球振分けモードの場合と同様となっている。
このように、本実施の形態では、左右一対の第１のレール部材１３３，１３３の動作状態に応じて、当該左右一対の第１のレール部材１３３，１３３間の第１の球通過経路１３６の球通過経路下流側の間隔が変更され、これにより左右一対の第２のレール部材１３４，１３４との間に形成される第２の球通過経路１３７及び第３の球通過経路１３８の球通過経路下流側の間隔が相対的に変更される。
【００３３】
球振分け装置１３０のこのような第２の球振分けモードにおいて、回転部材１３１の溝部１３１ａが中央位置（図１０中の実線で示す位置）に延在したとき、当該溝部１３１ａを通った遊技球は、第１のレール部材１３３，１３３の間の第１の球通過経路１３６を球通過経路下流側へ流下する。このとき、第１のレール部材１３３，１３３間の第１の球通過経路１３６の間隔ｄ１は、球通過経路上流側よりも球通過経路下流側が拡張されているため、第１のレール部材１３３，１３３の間の第１の球通過経路１３６を球通過経路下流側へ流下した遊技球が、誘導口１３５に流入する可能性は、第１の球振分けモード時よりも低くなる。これに対し、回転部材１３１の溝部１３１ａが側方位置（図１０中の二点鎖線で示す位置）に延在したとき、当該溝部１３１ａを通った遊技球は、右側の第１のレール部材１３３と右側の第２のレール部材１３４と間の第２の球通過経路１３７、または左側の第１のレール部材１３３と左側の第２のレール部材１３４との間の第３の球通過経路１３８を球通過経路下流側へ流下する。このとき、第２の球通過経路１３７及び第３の球通過経路１３８の間隔ｄ２，ｄ３は、いずれも球通過経路上流側よりも球通過経路下流側が縮小され、しかも第１のレール部材１３３が第２のレール部材１３４よりも低所に配置されるため、第２の球通過経路１３７または第３の球通過経路１３８を流下する遊技球は、球通過経路下流側において第１の球通過経路１３６へと流下する可能性が高まる。このように、第２の球振分けモードにおいては、第２の球通過経路１３７または第３の球通過経路１３８の球通過経路下流側を流下する遊技球の流下経路は、高い確率で第１の球通過経路１３６へと切り換る。なお、この第２の球通過経路１３７または第３の球通過経路１３８を流下する遊技球は、遊技球の流下の勢いによっては、そのまま第２の球通過経路１３７または第３の球通過経路１３８を球通過経路下流端まで流下し続ける。
【００３４】
なお、本実施の形態において、上記構成の球停留装置１２０における球停留部材１２３の動作や、上記構成の球振分け装置１３０における回転部材１３１の動作及び第１のレール部材１３３，１３３の動作は、既知の構成のモータやソレノイドを用いて構成される駆動手段（後述する駆動部１７１）を介して、各々独立した動作周期で行われる構成になっている。この駆動手段が、後述する態様１〜態様３における「駆動手段」に対応している。
【００３５】
次に、本実施の形態に係るパチンコ機１０１の電装システムが図１３に模式的に示される。図１３に示すように、本実施の形態に係るパチンコ機１０１は、概略的に見て、ＡＣ電源に接続された電源装置１５３に中継基板１５４を介して接続されたメイン制御部１６０を主体として構成される。メイン制御部１６０内には、特に図示しないもののＣＰＵ（中央演算処理装置）、メモリ、入力処理回路および出力処理回路が適宜設定されている。さらにメイン制御部１６０には、始動口センサ１５０，１５１、大入賞口センサ１５２、特定入賞口センサ１４２が接続され、これら各センサ１５０，１５１，１５２，１４２からの検出信号が適宜入力される。またメイン制御部１６０には、サブ制御基板１６２、ソレノイド１７０、駆動部１７１、表示制御部１７２、音制御部１７３、ランプ制御部１７４、賞球制御部１７６がそれぞれ接続されている。サブ制御基板１６２は、各種の検出情報に基づく処理、判断を行い、表示制御部１７２、音制御部１７３及びランプ制御部１７４へ制御信号を出力する。また、賞球制御部１７６には更に賞球の払出しを実行する賞球装置１７８が接続されている。
【００３６】
ソレノイド１７０は、メイン制御部１６０内に設けられた出力処理回路（特に図示しない）からの駆動制御信号に基づいて適宜励磁・非励磁状態を切り替えることにより、図１に示す電動役物装置１１０の開閉羽根１１２，１１２の開閉駆動（開放動作ないし閉鎖動作）を行う。駆動部１７１は、同じくメイン制御部１６０内に設けられた出力処理回路（特に図示しない）からの駆動制御信号に基づいて球停留装置１２０及び球振分け装置１３０へ制御信号を出力し、球停留部材１２３の動作、回転部材１３１の動作及び第１のレール部材１３３，１３３の動作を制御する。表示制御部１７２は、同じくサブ制御基板１６２からの制御信号に基づいて、各種の表示器への表示出力信号を制御する。音制御部１７３は、同じくサブ制御基板１６２からの制御信号に基づいて、各種のスピーカへの音声出力を制御する。ランプ制御部１７４は、同じくサブ制御基板１６２からの制御信号に基づいて、各種のランプ類における点灯態様や点滅態様を制御する。
【００３７】
賞球制御部１７６は、特に図示しないものの、内部にＣＰＵ（中央演算処理装置）および入出力ポート等を備え、電源装置１５３から電源供給を受けて駆動されるとともに、始動口センサ１５０，１５１、大入賞口センサ１５２からの検出信号を受けたメイン制御部１６０から適宜賞球制御信号を受けて、賞球装置１７８における賞球の払い出し制御を適宜行う。さらにメイン制御部１６０は、パチンコ機１０１を設置した遊技ホールに設けられたホールコンピュータ１８０に接続され、例えば大当たりの回数等といった遊技に関する営業情報を適宜出力する。
【００３８】
図１に示す上記構成のパチンコ機１０１において、発射ハンドル装置（図示省略）によって遊技盤１０３表面の遊技領域１０５に発射された遊技球は、遊技釘によって流下態様を変えつつ遊技領域１０５を流下していく。遊技球が第２種始動口１０７，１０９のいずれかに入賞すると、当該入賞した遊技球が始動口センサ１５０あるいは始動口センサ１５１によって検出される。これにより始動口センサ１５０，１５１からの検出信号がメイン制御部１６０に送られる。メイン制御部１６０は、賞球制御部１７６に制御信号を出力し、当該賞球制御部１７６は第２種始動口１０７，１０９に入賞した遊技球の入賞数に応じた数の賞球を賞球装置１７８に払い出させる。また賞球装置１７８によるこの賞球払い出し情報は、ホールコンピュータ１８０に対しても出力される。
【００３９】
また、始動口センサ１５０，１５１が遊技球を検出することによって、メイン制御部１６０は、ソレノイド１７０に制御信号を出力し、図１に示す開閉羽根１１２を所定回数だけ開閉動作させる。本実施の形態では、始動口センサ１５０が遊技球を検出したときに開閉羽根１１２が開閉動作を１回行い、始動口センサ１５１が遊技球を検出したときに開閉羽根１１２が開閉動作を２回連続で行う。この開閉羽根１１２が開放位置にあるとき大入賞口１１１が開放されて電動役物装置１１０内への遊技球の入球が許容される。一方、この開閉羽根１１２が閉鎖位置にあるとき大入賞口１１１が閉鎖されて電動役物装置１１０内への遊技球の入球が規制される。
【００４０】
開閉羽根１１２が開放位置にあるときに大入賞口１１１に入った遊技球は、球流通路１１４，１１５、球停留装置１２０、球振分け装置１３０を順次流下し、誘導口１３５に流下した遊技球がＶ入賞ゾーン１４０を通過する。遊技球のこのような流下過程において、大入賞口センサ１５２、Ｖ入賞ゾーン１４０のＶ入賞センサ１４２が検出した検出信号はメイン制御部１６０に送られる。このとき、メイン制御部１６０は、賞球制御部１７６に制御信号を出力し、当該賞球制御部１７６は大入賞口センサ１５２を通過した遊技球の入賞数に応じた数の賞球を賞球装置１７８に払い出させる。また賞球装置１７８によるこの賞球払い出し情報は、ホールコンピュータ１８０に対しても出力される。
【００４１】
球流通路１１４，１１５を通過した遊技球は、球停留装置１２０及び球振分け装置１３０の各々の動作状態に応じて、Ｖ入賞ゾーン１４０を通過する可能性が変化する。すなわち、本実施の形態では、後述する「特別の遊技状態」が形成される前の通常遊技中は、球停留装置１２０及び球振分け装置１３０は、各々独立して（非同期で）常時動作する構成になっており、球停留装置１２０の動作状態と、球振分け装置１３０の動作状態の組み合わせによって、最終的に区画領域１３２ａを流下する遊技球の流下経路が種々変化することとなる。
【００４２】
具体的には、球停留装置１２０が図５に示す球停留モードに設定されているときに、球停留部材１２３に流入し球停留部１２３ａの中央部（突起部材１２３ｂ，１２３ｂによって区画された領域）に一旦停留した遊技球は、図６に示す球停留解除モードに切り換ったときに中央開口１２４を通過し、高い確率で回転部材１３１の溝部１３１ａに流入することとなる。その後、球振分け装置１３０が図７〜図９に示す第１の球振分けモードに設定されているときに、回転部材１３１の溝部１３１ａを通った遊技球は、第１のレール部材１３３，１３３の間の第１の球通過経路１３６を流下するか、或いは第１のレール部材１３３と第２のレール部材１３４の間の第２の球通過経路１３７または第３の球通過経路１３８を流下するかで、誘導口１３５を通過する可能性が大きく変わることとなる。すなわち、第２の球通過経路１３７または第３の球通過経路１３８を流下した遊技球よりも、誘導口１３５の真上に形成される第１の球通過経路１３６を流下した遊技球の方が、誘導口１３５を通過する可能性が高い。一方、球振分け装置１３０が図１０〜図１２に示す第２の球振分けモードに設定されているときに、回転部材１３１の溝部１３１ａを通った遊技球は、第１の球通過経路１３６を流下しても、第２の球通過経路１３７または第３の球通過経路１３８を流下しても、誘導口１３５を通過する可能性は殆ど変わらない。これは、第２の球通過経路１３７または第３の球通過経路１３８は、その球通過経路下流側ほど狭く、且つ第１のレール部材１３３が第２のレール部材１３４よりも低いため、第２の球通過経路１３７または第３の球通過経路１３８を流下する遊技球は、球通過経路下流側において高い確率で第１の球通過経路１３６へ落入するからである。
【００４３】
これに対し、球停留装置１２０が図６に示す球停留解除モードに設定されているときに、球停留部材１２３に流入した遊技球は、停留することなくそのまま中央開口１２４または側部開口１２５，１２５を通過し、球停留部１２３ａに一旦停留した場合よりも低い確率で回転部材１３１の溝部１３１ａに流入することとなる。その後、回転部材１３１の溝部１３１ａを通った遊技球は、上記の如く球停留装置１２０が球停留モードから球停留解除モードへと切り換った場合と同様に、球振分け装置１３０の球振分けモードに応じた態様によって球通過経路を流下していく。すなわち、第１の球振分けモードにおいては、第２の球通過経路１３７または第３の球通過経路１３８を流下した遊技球よりも、誘導口１３５の真上に形成される第１の球通過経路１３６を流下した遊技球の方が、誘導口１３５を通過する可能性が高い。一方、第２の球振分けモードにおいては、第１の球通過経路１３６を流下しても、第２の球通過経路１３７または第３の球通過経路１３８を流下しても、遊技球が誘導口１３５を通過する可能性は殆ど変わらない。
【００４４】
球振分け装置１３０の誘導口１３５を通過した遊技球がＶ入賞ゾーン１４０を通過した場合には、パチンコ機１０１は大当たり状態となり、いわゆる「特別の遊技状態」の複数のラウンドが順次実行されることとなる。一のラウンドは、次ラウンド移行条件が達成されて終了する場合を除き、開閉羽根１１２が所定回数だけ開閉動作されるか、あるいは規定数の遊技球の入賞カウント（典型的には１０カウント）が行われるかのいずれかの条件が充足されるまで継続する。一方、当該ラウンド実行中に次ラウンド移行条件が達成された（次ラウンドへの継続権が得られた）場合、すなわち当該ラウンド実行中に遊技球がＶ入賞ゾーン１４０を通過した場合、当該ラウンドはＶ入賞ゾーン１４０への遊技球の通過の時点で終了し、次のラウンドに移行することとなる。換言すれば、特別の遊技状態のラウンドは、所定の満了条件に至るまで継続可能とされるとともに、次ラウンド移行条件を充足することで次ラウンドへと移行し、これによって所定数のラウンドが重畳的に繰り返し遂行される。また、当該ラウンドにおいて、電動役物装置１１０内に所定数の遊技球が流入したときや所定時間が経過したときには、所定の作動条件が成立し、それまで図５に示す球停留モード（停留可能状態）に設定されていた球停留装置１２０は、図６に示す球停留解除モード（停留解除状態）に切り換え制御される。これにより、球停留部１２３ａに停留された後に当該停留が解除された遊技球の方が、停留されない遊技球よりも誘導口１３５を通過しＶ入賞ゾーン１４０を通過する可能性が高くなる。
遊技者に付与されるこのような「特別の遊技状態」の特典は、遊技球がＶ入賞ゾーン１４０を通過したときにのみ付与される。すなわち、遊技球がＶ入賞ゾーン１４０を通過した場合とそうでない場合とで、遊技者に付与される特典が異なる。
【００４５】
また、特別の遊技状態の当該ラウンドにおいて、電動役物装置１１０内に所定数の遊技球が流入したときや所定時間が経過したときには、所定の作動条件が成立し、それまで図５に示す球停留モード（停留可能状態）に設定されていた球停留装置１２０は、図６に示す球停留解除モード（停留解除状態）に切り換え制御される。一方、特別の遊技状態における球振分け装置１３０の動作に関しては、当該球振分け装置１３０は、常時動作する状態が終了し、図７〜図９に示す第１の球振分けモードに設定される。これにより、球停留部１２３ａに停留された後に当該停留が解除された遊技球の方が、停留されない遊技球よりも、誘導口１３５を通過してＶ入賞ゾーン１４０を通過する可能性が高くなる。
その理由として、本実施の形態では、Ｖ入賞ゾーン１４０は、電動役物装置１１０内の下部中央領域に設けられるようになっており、また、球停留装置１２０は、電動役物装置１１０内に流入した遊技球が中央領域を流下する可能性が高くなるようにするべく、遊技球を一旦停留させる機能を果たすものとなっている。従って、球停留装置１２０において一旦停留された遊技球は、中央領域を流下する可能性が高くなり、中央領域を流下する遊技球に比してその下方の下部中央領域に配置されたＶ入賞ゾーン１４０を通過する可能性が高くなる。反対に、球停留装置１２０において停留されない遊技球は、中央領域を流下する可能性が低くなり、その下方の下部中央領域に配置されたＶ入賞ゾーン１４０を通過する可能性が低くなる。そのうえ、本実施の形態では、球停留装置１２０は、遊技球の停留位置が不確定状態となる球停留部１２３ａを備え、この球停留部１２３ａに複数個の遊技球を停留可能であるため、この球停留部１２３ａにおける遊技球の停留数が多くなると必然的に、一旦停留された遊技球が、中央領域を流下する可能性がより高くなり、その下方の下部中央領域に配置されたＶ入賞ゾーン１４０を通過する可能性が増すこととなる。
なお、特別の遊技状態における球振分け装置１３０の動作に関しては、常時動作する状態、すなわち第１の球振分けモードと第２の球振分けモードとに切り換るように制御することもできる。具体的には、ラウンド継続の困難性が変化するような構成において、ラウンド継続の困難性が変化するラウンド開始時期になると球振分け装置１３０が常時動作する状態に制御し、このラウンド開始時期よりも前は球振分け装置１３０が第１の球振分けモードに設定されるように制御することができる。
【００４６】
以上のように、本実施の形態のパチンコ機１０１によれば、球停留装置１２０及び球振分け装置１３０の各々の動作状態に応じて、遊技球がＶ入賞ゾーン１４０を通過する可能性が変化するため、大入賞口１１１に入った遊技球が流下する流下態様に関し遊技者の興趣が高まることとなる。特に、球停留装置１２０において、遊技球が球停留部１２３ａに停留しなかったり、球停留部１２３ａの中央部以外に停留して当該遊技球がＶ入賞ゾーン１４０を通過する可能性が低いような場合であっても、その後に当該遊技球が球振分け装置１３０に流入するタイミングによっては、当該遊技球がＶ入賞ゾーン１４０を通過する可能性が高くように変化することとなる。また、遊技者は、球振分け装置１３０に向けて遊技球が流下する前に、球停留装置１２０の球停留部１２３ａに停留している遊技球の停留位置、停留数等を把握することが可能となる。従って、球停留装置１２０及び球振分け装置１３０の動作によって遊技者の目を惹きつけることが可能となり、遊技者にとっては、最後まで目を離せない遊技球の流下態様が実現されることとなる。
【００４７】
（第２実施の形態）
次に、本発明の第２実施の形態のパチンコ機２０１について、図１４〜図２５を参照しながら説明する。図１４に示すパチンコ機２０１では、球停留装置１２０の下流に、第１実施の形態のパチンコ機１０１における球振分け装置１３０にかえて別の構成の球振分け装置２３０が配置されており、この球振分け装置２３０以外のその他の構成部材についてはパチンコ機１０１と同様の構成を有する。従って、ここでは球振分け装置２３０及びその周辺の構成部材についてのみ説明し、その他の構成要素の構成や動作についての説明は省略する。この球振分け装置２３０が、本発明における「流下経路可変手段」を構成する。
【００４８】
本発明の遊技機の第２実施の形態であるパチンコ機２０１の遊技盤１０３の全体構成が図１４に示される。図１４に示すパチンコ機２０１は、電動役物装置１１０の球停留装置１２０の下流に、球振分け装置２３０を備える。また、図１４中の球停留装置１２０及び球振分け装置２３０の平面図が図１５に示され、当該球停留装置１２０及び球振分け装置２３０の正面図が図１６に示され、当該球停留装置１２０及び球振分け装置２３０の斜視図が図１７に示される。
【００４９】
この球振分け装置２３０は、図１５〜図１７に示すように、遊技球が転動可能な球流下領域２３１（本発明における「球流下領域」を構成する）に、左右一対の干渉部材２３２，２３２、溝部２３３、回転体２４０、パチンコ機１０１における誘導口１３５と同様の構成の誘導口２３５を少なくとも備える。この球振分け装置２３０は、電動役物装置１１０内へ流入した遊技球を、球停留装置１２０の下流において振分ける機能を有する装置である。すなわち、図１９に示す「球停留モード」において、球停留部１２３ａに不確定状態で停留された遊技球は、図２０に示す「球停留解除モード」において球振分け装置２３０側に流下し、当該球振分け装置２３０を流下する際に、Ｖ入賞ゾーン１４０またはそれ以外の領域に振分けされる。
【００５０】
図１５〜図１７に示すように、干渉部材２３２，２３２は、球停留装置１２０の中央開口１２４や側部開口１２５，１２５から流下した遊技球に干渉することによって、当該遊技球の流下経路に影響を及ぼす部材として構成される。本実施の形態では、干渉部材２３２は、平面視が三角形となる角柱であり、その傾斜面が上流側に向けて配置されている。従って、干渉部材２３２の付近を流下する遊技球は、この干渉部材２３２の傾斜面のどの部位に当たるかによって流下態様が変化し、球流下領域２３１の中央寄りに流下するか、あるいは球流下領域２３１の干渉部材２３２よりも更に外方において流下することとなる。
【００５１】
溝部２３３は、球流下領域２３１の中央部分を前後方向に長尺状に延在する、ほぼ遊技球１個分の溝幅の溝部として構成される。この溝部２３３を通った遊技球は、回転体２４０の中央位置に向けて流下する。
【００５２】
回転体２４０は、収容孔２３４に収容された回転体として構成されるとともに、球流下領域２３１の延在方向と交差する方向に立設し、その一部が球流下領域２３１よりも上方に延出して配置される。この回転体２４０は、図１３中の駆動部１７１を介して、図１６及び図１７に示すような右回りに一定の速度で回転動作するように構成されている。この回転体２４０が、後述する態様４〜態様７における「立設部材」に対応している。なお、必要に応じてこの回転体２４０が左回りに回転動作する構成や、右回りと左回りに交互に回転動作する構成を用いることもできる。
【００５３】
ここで、球振分け装置２３０を構成するこの回転体２４０の裏面の構造、すなわち球停留装置１２０と対向する側の構造が図１８に示される。
図１８に示すように、回転体２４０は、回転中心２４０ｂを有する円板状の基体２４０ａの外周から、当該基体２４０ａの延在面に沿って放射状に延出する扇形状の４つの延出片２４１，２４２，２４３，２４４を備える。詳細については後述するが、これら各延出片は、その裏面が球停留装置１２０側へと突出した「山型形状」になっており、裏面に接触した遊技球の流下態様に影響を及ぼす機能を有する。また、互いに隣接する延出片同士の間には、遊技球１個分よりも大きい間隔を有する４つのスリット（開口部）２４５が形成されている。延出片２４１，２４２，２４３，２４４は、遊技球の流下を規制する部位であり、後述する態様４における「球接触部」または後述する態様５における「延出片」に対応している。また、スリット２４５は、遊技球の流下を許容する大きさの開口部であり、後述する態様４における「開口部」または後述する態様５における「スリット」に対応している。
なお、回転体２４０の各延出片は、その裏面が遊技者から見えないように構成されるのが好ましい。これにより、遊技者は、遊技球が回転体２４０の各延出片に接触したときの当該遊技球の流下態様の変化が予測しにくくなり、遊技者の興趣が更に高まることとなる。
【００５４】
回転体２４０の第１の延出片２４１は、その裏面に山型形状の稜線を形成する頂部２４１ａと、この頂部２４１ａを境にして外周縁に向けて同様の傾斜角度で傾斜する傾斜面２４１ｂ及び傾斜面２４１ｃを有する。この頂部２４１ａは、その裏面の中央部において第１の延出片２４１の延出方向に沿って形成されている。また、回転体２４０の第２の延出片２４２は、第１の延出片２４１の形状と同様の形状であり、その裏面に頂部２４２ａと、この頂部２４２ａを境にして外周縁に向けて同様の傾斜角度で傾斜する傾斜面２４２ｂ及び傾斜面２４２ｃを有する。また、回転体２４０の第３の延出片２４３は、その裏面に山型形状の稜線を形成する頂部２４３ａと、この頂部２４３ａを境にして外周縁に向けて異なる傾斜角度で傾斜する傾斜面２４３ｂ及び傾斜面２４３ｃを有する。この頂部２４３ａは、その裏面の中央部から側方に多少ずれた位置において第３の延出片２４３の延出方向に沿って形成されている。また、回転体２４０の第４の延出片２４４は、第３の延出片２４３の形状と同様の形状であり、その裏面に頂部２４４ａと、この頂部２４４ａを境にして外周縁に向けて同様の傾斜角度で傾斜する傾斜面２４４ｂ及び傾斜面２４４ｃを有する。
【００５５】
このような構成の回転体２４０が収容孔２３４に収容された状態で、回転中心２４０ｂを中心にして所定の回転速度で、例えば図１７に示すように右回りに回転動作するとき、球停留装置１２０から球流下領域２３１へと放出された遊技球は、回転体２４０に接触するか、或いは回転体２４０に接触することなく球流下領域２３１を当該回転体２４０の下流へと流下していく。このとき、球停留装置１２０から遊技球が放出されるタイミングと回転体２４０の動作タイミングとの関係によって、当該遊技球の流下態様が種々変化することとなる。
【００５６】
ここで、球振分け装置２３０における遊技球の流下態様の変化の具体例を、図１９〜図２２を参照しながら説明する。図１７中の球停留装置１２０が「球停留モード」に設定された状態の側面図が図１９に示され、当該球停留装置１２０が「球停留解除モード」に設定された状態の側面図が図２０に示される。また、図２１には、回転体２４０のスリット２４５が溝部２３３の位置に合致したときに様子が示され、図２２には、回転体２４０の第２の延出片２４２が溝部２３３の位置に合致したときの様子が示される。
【００５７】
球停留装置１２０が図１９に示す球停留モードに設定されているときに、球停留部材１２３に流入し球停留部１２３ａの中央部（図１５中の突起部材１２３ｂ，１２３ｂによって区画された領域）に一旦停留した遊技球は、図２０に示す球停留解除モードに切り換ったときに中央開口１２４を通過し、高い確率で球流下領域２３１の溝部２３３に流入することとなる。
一方、球停留装置１２０が図２０に示す球停留解除モードに設定されているときに、球停留部材１２３に流入した遊技球は、停留することなくそのまま中央開口１２４または側部開口１２５，１２５を通過し、球停留部１２３ａに一旦停留した場合よりも低い確率で球流下領域２３１の溝部２３３に流入することとなる。
【００５８】
図２１に示すように、回転体２４０のスリット２４５が、球流下領域２３１の溝部２３３の位置に合致したときに、当該溝部２３３を通った遊技球は、スリット２４５を通じて高い確率で誘導口２３５に流入することとなる。
また、図２１に示す状態において、球流下領域２３１の溝部２３３よりも外方を通った遊技球は、回転体２４０の第１の延出片２４１や第２の延出片２４２に当たった後、内方に位置するスリット２４５側へ誘導されて当該スリット２４５を通過するか、或いは第１の延出片２４１や第２の延出片２４２の外方へ誘導される。具体的には、第１の延出片２４１に関し、頂部２４１ａよりも傾斜面２４１ｂ側に当たった遊技球は、第１の延出片２４１の外方（右側）へ誘導され、頂部２４１ａよりも傾斜面２４１ｃ側に当たった遊技球は、第１の延出片２４１の内方（左側）へ誘導される。また、第２の延出片２４２に関し、頂部２４２ａよりも傾斜面２４２ｂ側に当たった遊技球は、第２の延出片２４２の内方（右側）へ誘導され、頂部２４２ａよりも傾斜面２４２ｃ側に当たった遊技球は、第２の延出片２４２の外方（左側）へ誘導される。
【００５９】
これに対し、図２２に示すように、回転体２４０の延出片（図中では第２の延出片２４２）が、球流下領域２３１の溝部２３３の位置に合致したときに、当該溝部２３３を通った遊技球は、回転体２４０の第２の延出片２４２に当たった後、当該第２の延出片２４２の外方へ誘導される。具体的には、第２の延出片２４２に関し、頂部２４２ａよりも傾斜面２４２ｂ側に当たった遊技球は、第２の延出片２４１の外方（右側）へ誘導されて右側のスリット２４５を通過し、頂部２４２ａよりも傾斜面２４２ｃ側に当たった遊技球は、第２の延出片２４１の外方（左側）へ誘導されて左側のスリット２４５を通過することとなる。
また、図２２に示す状態において、球流下領域２３１の溝部２３３よりも外方を通った遊技球は、回転体２４０の第１の延出片２４１や第３の延出片２４３に当たった後、内方または外方へ誘導される。具体的には、第１の延出片２４１に関し、頂部２４１ａよりも傾斜面２４１ｂ側に当たった遊技球は、第１の延出片２４１の外方（右側）へ誘導され、頂部２４１ａよりも傾斜面２４１ｃ側に当たった遊技球は、第１の延出片２４１の内方（左側）へ誘導されて右側のスリット２４５を通過することとなる。また、第３の延出片２４３に関し、頂部２４３ａよりも傾斜面２４３ｂ側に当たった遊技球は、第３の延出片２４２の内方（右側）へ誘導されて左側のスリット２４５を通過し、頂部２４３ａよりも傾斜面２４３ｃ側に当たった遊技球は、第３の延出片２４３の外方（左側）へ誘導されることとなる。このように、図２２に示す状態では、球流下領域２３１を流下する遊技球が回転体２４０の中央部を通過する可能性が低くなるため、遊技球が誘導口２３５に流入する可能性は図２１に示す状態よりも低くなる。
【００６０】
なお、上記の球振分け装置２３０において、回転体２４０の構成を必要に応じて適宜変更することもできる。例えば、延出片の数や形状、延出片の裏面の構造等は、上記の回転体２４０の構成に限定されない。
【００６１】
ここで、別の実施の形態の回転体３４０を備える球振分け装置３３０の構成及び作用を図２３〜図２７を参照しながら説明する。球停留装置１２０及び球振分け装置３３０の平面図が図２３に示され、当該球停留装置１２０及び球振分け装置３３０の正面図が図２４に示され、当該球停留装置１２０及び球振分け装置３３０の斜視図が図２５に示される。また、図２５中の球停留装置１２０が「球停留解除モード」に設定された状態の側面図が図２６に示され、図２５中の回転体３４０によって一旦保持された遊技球が保持解除された後の状態が図２７に示される。なお、これらの図２３〜図２７において、図１５〜図２０に示す構成要素と同一の構成要素には同一の符号を付すものとし、当該同一の構成要素についての詳細な説明は省略する。この球振分け装置３３０が、本発明における「流下経路可変手段」を構成する。
【００６２】
図２３〜図２７に示す回転体３４０は、回転体２４０の４つの延出片２４１，２４２，２４３，２４４と同様の４つの延出片を備えるとともに、これら４つの延出片のうちのいずれかの上流側に向かう面に磁石３４１を備える。この磁石３４１は、遊技球１個を吸着保持可能な機能を有する磁石である。この回転体２４０が、後述する態様４〜態様７における「立設部材」に対応しており、磁石３４１が、後述する態様７における「磁石」に相当する。なお、この磁石３４１を４つの延出片のうちの複数に設けることもできる。
球停留装置１２０が図２６に示す停留解除モードに設定されているとき、球流下領域２３１を流下した遊技球が、磁石３４１を備える延出片に接触すると、磁石３４１を介して当該延出片に保持されることとなる。その後、回転体３４０の回転動作に伴って当該延出片は収容孔２３４に収容されていくため、当該延出片に一旦保持された遊技球の保持が図２７に示すように解除され、スリット２４５を通じて誘導口２３５に向けて高確率で流下することとなる。
【００６３】
以上のように、本実施の形態のパチンコ機２０１によれば、球停留装置１２０及び球振分け装置２３０，３３０の各々の動作状態に応じて、遊技球がＶ入賞ゾーン１４０を通過する可能性が変化するため、大入賞口１１１に入った遊技球が流下する流下態様に関し遊技者の興趣が高まることとなる。特に、球停留装置１２０において、遊技球が球停留部１２３ａに停留しなかったり、球停留部１２３ａの中央部以外に停留して当該遊技球がＶ入賞ゾーン１４０を通過する可能性が低いような場合であっても、その後に当該遊技球が球振分け装置２３０，３３０に流入するタイミングによっては、当該遊技球がＶ入賞ゾーン１４０を通過する可能性が高くように変化することとなる。また、遊技者は、球振分け装置２３０，３３０に向けて遊技球が流下する前に、球停留装置１２０の球停留部１２３ａに停留している遊技球の停留位置、停留数等を把握することが可能となる。従って、球停留装置１２０及び球振分け装置２３０，３３０の動作によって遊技者の目を惹きつけることが可能となり、遊技者にとっては、最後まで目を離せない遊技球の流下態様が実現されることとなる。また、回転体２４０，３４０の各延出片の裏面が遊技者から見えない、若しくは見えにくいように構成することによって、遊技球が回転体２４０，３４０の各延出片に接触したときの当該遊技球の流下態様の変化が予測しにくくなり、遊技者の興趣が高まることとなる。
【００６４】
（他の実施の形態）
なお、本発明は上記実施の形態のみに限定されるものではなく、本実施の形態に基づいた種々の応用例や変更例を想到することができる。例えば、本実施の形態を応用した以下の形態を実施することもできる。
【００６５】
また、上記実施の形態のパチンコ機１０１では、円柱棒状の４つのレール部材のうち、２つの第１のレール部材１３３，１３３を、２つの第２のレール部材１３４，１３４に対し可動させる構成の球振分け装置１３０について記載したが、本発明では、４つのレール部材全てが可動される構成を用いることもできる。また、本発明では、レール部材の形状や数などは、必要に応じて適宜変更可能である。レール部材の形状に関しては、円柱棒状にかえて角柱棒状とすることができ、レール部材の数に関しては、２つ以上の数を選択することができる。２つの第１のレール部材１３３，１３３のそれぞれの外方に第２のレール部材１３４を配置する、本実施の形態の計４つのレール部材構造にかえて、例えば、２つの第１のレール部材１３３，１３３のうちいずれか一方の第１のレール部材１３３の外方に第２のレール部材１３４を配置する計３つのレール部材構造を用いることもできる。
また、上記実施の形態では、４つのレール部材のうちの２つの第１のレール部材１３３，１３３は、その球流下方向下流側の高さが低くなるように傾斜している場合について記載したが、本発明では、第１のレール部材１３３，１３３を含む全てのレール部材を同様に傾斜させた構成を用いることもできる。
また、上記実施の形態のパチンコ機１０１では、第１のレール部材１３３，１３３及び第２のレール部材１３４，１３４が球流下方向に沿って前後方向に延在する構成について記載したが、本発明においてこれらレール部材の延在方向は、前後方向に限定されるものではなく、必要に応じて斜め方向、左右方向に延在させる構成を用いることができる。
【００６６】
また、上記実施の形態のパチンコ機２０１では、延出片２４１，２４２，２４３，２４４及びスリット２４５を有する立設部材（回転体２４０，３４０）を回転動作させることによって、遊技球を振分け遊技球の流下経路を可変とする場合について記載したが、本発明では、遊技球との接触によって当該遊技球の流下を規制する球接触部と、遊技球の流下を許容する大きさの開口部を有する種々の構成の立設部材を、例えば左右方向に往復動作させることによって、遊技球の流下経路を可変とするようにしてもよい。
【００６７】
また、上記実施の形態では、パチンコ機１０１における球停留装置１２０及び球振分け装置１３０の動作や、パチンコ機２０１における球停留装置１２０及び球振分け装置２３０の動作は、予め設定された動作タイミングによって動作する場合について記載したが、本発明では、これらの動作タイミングが遊技者の操作によって変更されるように構成することもできる。例えば、パチンコ機に遊技者が操作可能な特定の操作部材を設け、遊技者が当該特定の操作部材を操作したきの球停留装置１２０や球振分け装置１３０，２３０の動作タイミング（動作周期、動作速度、動作距離など）が、遊技者が当該特定の操作部材を操作する前の動作タイミングとは変化するように構成することができる。
【００６８】
また、上記実施の形態のパチンコ機１０１，２０１では、球振分け装置１３０，２３０，３３０の上流に球停留装置１２０を設ける構成について記載したが、この球停留装置１２０は必要に応じて省略することもできる。
【００６９】
また、上記実施の形態では、第２種パチンコ機であるパチンコ機１０１，２０１について記載したが、第１種パチンコ機や第３種パチンコ機の構成に本発明を適用することもできる。また、パチンコ機以外の遊技機、例えばアレンジボール機の構成に本発明を適用することもできる。
【００７０】
また、上記実施の形態や種々の変更の形態に鑑み、本発明では以下の態様１〜態様８に記載の構成を採り得る。
【００７１】
（態様１）
本発明では、
「請求項１に記載の遊技機であって、
前記流下経路可変手段は、前記球流下領域の球流下方向に沿って延在するとともに、遊技球の通過を許容する間隔の球通過経路をあけて球流下方向と交差する方向に沿って配置された複数の棒状部材と、前記複数の棒状部材における球通過経路の球通過経路下流側の間隔を可変とするように当該複数の棒状部材を駆動する駆動手段とを備え、
前記複数の棒状部材の動作状態に応じて、当該複数の棒状部材における球通過経路の球通過経路下流側の間隔が変更されることで、前記球通過経路を通った遊技球が前記第１の球通過領域を通過する球通過可能性が可変とされる構成であることを特徴とする遊技機。」
という構成（態様１）を採り得る。
【００７２】
この態様１に記載の遊技機では、請求項１に記載の流下経路可変手段が、複数の棒状部材及び駆動手段を少なくとも備える。本態様における複数の棒状部材は、球流下領域の球流下方向に沿って延在するとともに、遊技球の通過を許容する間隔の球通過経路をあけて球流下方向と交差する方向に沿って配置される部材である。これら複数の棒状部材によって形成される球通過経路が、球流下領域を球流下方向に沿って流下する遊技球の流下経路となる。ここでいう「棒状部材」とは、球流下領域の球流下方向に沿って長手状に延在する構成の部材を広く含む主旨であり、その形状は限定されない。典型的には、円柱棒状や角柱棒状の部材によって、本発明に棒状部材を構成する。なお、本態様において、複数の棒状部材及び球通過経路の構成に関しては、遊技球の球流下方向に沿って長手状に延在する成分を有していれば足り、前後方向、斜め方向、左右方向に直線的に延在する構成、また前後方向、斜め方向、左右方向に曲線的に延在する構成を広く包含する。特に、左右方向に配置された複数の棒状部材が、遊技球の球流下方向に沿って前後方向に長手状に延在する構成によれば、球通過経路上流側から球通過経路下流側へと流下する遊技球の流下態様の変化が遊技者からみて判り易いという作用効果を奏する。本態様における駆動手段は、複数の棒状部材における球通過経路の球通過経路下流側の間隔を可変とするように当該複数の棒状部材の一部または全部を駆動する機能を有する手段である。この駆動手段は、典型的には、モータやソレノイドを用いて構成される。
【００７３】
本態様１では、複数の棒状部材の動作状態に応じて、当該複数の棒状部材における球通過経路の球通過経路下流側の間隔が変更されることで、球通過経路を通った遊技球が第１の球通過領域を通過する球通過可能性が可変とされる構成になっている。すなわち、複数の棒状部材における球通過経路自体の形状が変わることによって、球流下領域を第１の球通過領域や第２の球通過領域に向けて流下する遊技球の流下経路が変化し、第１の球通過領域を遊技球が通過する可能性が変わることとなる。
【００７４】
本態様１に記載の遊技機のこのような構成によれば、球流入装置内に流入した遊技球が、遊技者に有利となる第１の球通過領域を通過するまでの過程に関し、複数の棒状部材の動作によって遊技者の目を惹きつけることが可能となる。
【００７５】
（態様２）
また、本発明では、
「態様１に記載の遊技機であって、
前記複数の棒状部材は、前記球流下領域の各部位のうち前記第１の球通過領域に対応した部位に配置されるとともに、前記駆動手段を介して駆動される一対の第１の棒状部材と、前記一対の第１の棒状部材のうち少なくとも一方の第１の棒状部材の外方に配置される第２の棒状部材を用いて構成され、前記一対の第１の棒状部材間に第１の球通過経路が形成され、前記少なくとも一方の第１の棒状部材と前記第２の棒状部材との間に第２の球通過経路が形成される構成であり、
前記一対の第１の棒状部材の動作状態に応じて、前記第１の球通過経路の球通過経路下流側の間隔が変更され、これにより前記第２の球通過経路の球通過経路下流側の間隔が相対的に変更される構成であることを特徴とする遊技機。」
という構成（態様２）を採り得る。
【００７６】
この態様２に記載の遊技機では、態様１に記載の複数の棒状部材は、一対（２本）の第１の棒状部材と、第２の棒状部材を用いて構成される。一対の第１の棒状部材は、球流下領域の各部位のうち第１の球通過領域に対応した部位に配置される棒状部材として構成される。この一対の第１の棒状部材が駆動手段を介して駆動されるようになっている。一方、第２の棒状部材は、一対の第１の棒状部材のうち少なくとも一方の第１の棒状部材の外方に配置される棒状部材として構成される。また、一対の第１の棒状部材間に第１の球通過経路が形成され、少なくとも一方の第１の棒状部材とその外方に配置される第２の棒状部材との間に第２の球通過経路が形成される構成になっている。そして、一対の第１の棒状部材の動作状態に応じて、当該一対の第１の棒状部材間の第１の球通過経路の球通過経路下流側の間隔が変更され、これにより少なくとも一方の第１の棒状部材と第２の棒状部材との間に形成される第２の球通過経路の球通過経路下流側の間隔が相対的に変更されるようになっている。すなわち、一対の第１の棒状部材の間の第１の球通過経路の球通過経路下流側の間隔が縮小されるように動作した場合には、少なくとも一方の第１の棒状部材と第２の棒状部材との間の第２の球通過経路の球通過経路下流側の間隔は動作前よりも拡張されることとなる。このとき、一対の第１の棒状部材の間の第１の球通過経路を通過した遊技球の第１の球通過領域に向かう指向性が高まることとなり、当該第１の球通過領域を遊技球が通過する可能性が高まる。反対に、一対の第１の棒状部材の間の第１の球通過経路の球通過経路下流側の間隔が拡張されるように動作した場合には、少なくとも一方の第１の棒状部材と第２の棒状部材との間の第２の球通過経路の球通過経路下流側の間隔は動作前よりも縮小されることとなる。このとき、一対の第１の棒状部材の間の第１の球通過経路を通過した遊技球の第１の球通過領域に向かう指向性が低くなり、当該第１の球通過領域を遊技球が通過する可能性が低くなる。
【００７７】
本態様２に記載の遊技機のこのような構成によれば、球流入装置内に流入した遊技球が、遊技者に有利となる第１の球通過領域を通過するまでの過程に関し、一対の第１の棒状部材の動作と、一対の第１の棒状部材のうち少なくとも一方の第１の棒状部材の外方に配置される第２の棒状部材の動作によって遊技者の目を惹きつけることが可能となる。
なお、本態様２では、一対の第１の棒状部材と第２の棒状部材の球通過経路において、少なくとも球通過経路下流側の間隔が変更されれば足り、球通過経路上流側の間隔が変更されずに球通過経路下流側の間隔のみが変更される構成や、球通過経路下流側及び球通過経路上流側の間隔のいずれもが変更される構成を採用することができる。
また、本態様２では、一対の第１の棒状部材のいずれか一方の第１の棒状部材の外方に第２の棒状部材を配置する３つの棒状部材構造を用いることもできるし、あるいは一対の第１の棒状部材のそれぞれの外方に第２の棒状部材を配置する３つの棒状部材構造を用いることもできる。
【００７８】
（態様３）
また、本発明では、
「態様２に記載の遊技機であって、
前記複数の棒状部材は、前記一対の第１の棒状部材の球通過経路下流側が、前記第２の棒状部材の球通過経路下流側よりも低所に配置される構成であり、これにより、前記第２の球通過経路の球通過経路下流側を流下する遊技球が前記第１の球通過経路の球通過経路下流側へと進路を変更して流下する可能性を高める構成であることを特徴とする遊技機。」
という構成（態様３）を採り得る。
【００７９】
この態様３に記載の遊技機では、態様２に記載の複数の棒状部材は、一対の第１の棒状部材の球通過経路下流側が、第２の棒状部材の球通過経路下流側よりも低所に配置され、第２の球通過経路の球通過経路下流側を流下する遊技球が第１の球通過経路の球通過経路下流側へと進路を変更して流下する可能性を高めるように構成される。
【００８０】
本態様３に記載の遊技機このような構成によれば、第１の棒状部材と第２の棒状部材との間の第２の球通過経路を流下する遊技球が、球通過経路下流側において左右一対の第１の棒状部材の間の第１の球通過経路に落入し易くなる。球流下領域の各部位のうち第２の球通過経路を流下する遊技球は、通常第１の球通過領域を通過する可能性が低いが、場合によっては一対の第１の棒状部材の間の第１の球通過経路に落入することによって、第１の球通過領域を通過する可能性が高くなる。特に、第１の球通過経路の球通過経路下流側の間隔が拡張されるように動作し、第２の球通過経路の球通過経路下流側の間隔が動作前よりも縮小された場合に、第２の球通過経路を流下する遊技球は、球通過経路下流側において進路を変更して第１の球通過経路に、より落入し易くなるため、遊技球は第１の球通過領域を通過する可能性が更に高まる。
【００８１】
（態様４）
また、本発明では、
「請求項１に記載の遊技機であって、
前記流下経路可変手段は、前記球流下領域の各部位のうち前記第１の球通過領域に対応した部位に配置されるとともに、当該前記球流下領域の延在方向と交差する方向に立設する立設部材と、前記立設部材を駆動する駆動手段とを備え、
前記立設部材は、遊技球との接触によって当該遊技球の流下を規制する球接触部と、遊技球の流下を許容する大きさの開口部を有する構成であり、
前記立設部材の動作状態に応じて、前記球流下領域における前記立設部材の球接触部または開口部の配置が変更されることで、前記球流下領域を通った遊技球が前記第１の球通過領域を通過する球通過可能性が可変とされる構成であることを特徴とする遊技機。」
という構成（態様４）を採り得る。
【００８２】
この態様４に記載の遊技機では、請求項１に記載の流下経路可変手段は、立設部材及び駆動手段を少なくとも備える。本態様における立設部材は、球流下領域の各部位のうち第１の球通過領域に対応した部位に配置されるとともに、当該前記球流下領域の延在方向と交差する方向に立設する部材である。また、この立設部材は、遊技球との接触によって当該遊技球の流下を規制する球接触部と、遊技球の流下を許容する大きさの開口部を有する。立設部材を構成するこれら球接触部及び開口部は、遊技球の流下態様に影響を及ぼすことが可能な機能を有する。本態様における駆動手段は、立設部材を駆動する機能を有する手段である。この駆動手段は、典型的には、モータやソレノイドを用いて構成される。この駆動手段によって、立設部材は、当該立設部材の延在面において例えば回転する動作、左右方向に往復する動作などを行う。
【００８３】
本態様４では、立設部材の動作状態に応じて、球流下領域における立設部材の球接触部または開口部の配置が変更されることで、球流下領域を通った遊技球が第１の球通過領域を通過する球通過可能性が可変とされるようになっている。すなわち、立設部材の球接触部または開口部の配置が変わることによって、球流下領域を第１の球通過領域や第２の球通過領域に向けて流下する遊技球の流下経路が変化し、第１の球通過領域を遊技球が通過する可能性が変わることとなる。具体的には、立設部材の開口部が、球流下領域の各部位のうち第１の球通過領域に対応した部位に配置されたときに当該開口部を通過した遊技球は、高い確率で第１の球通過領域を通過する。また、球流下領域の各部位のうち第１の球通過領域以外の領域を流下する遊技球は、通常第１の球通過領域を通過する可能性が低いが、球接触部に接触することによって、場合によっては開口部を通過して第１の球通過領域を通過する可能性が高まる。
【００８４】
本態様４に記載の遊技機のこのような構成によれば、球流入装置内に流入した遊技球が、遊技者に有利となる第１の球通過領域を通過するまでの過程に関し、立設部材の動作によって遊技者の目を惹きつけることが可能となる。
【００８５】
（態様５）
また、本発明では、
「態様４に記載の遊技機であって、
前記立設部材は、円板状に形成された基体の外周に当該基体の延在方向に沿って放射状に延出する複数の延出片と、複数の延出片の間に形成されるスリットとを有し、前記複数の延出片が遊技球との接触によって当該遊技球の流下を規制する球接触部を構成し、前記スリットが遊技球の流下を許容する大きさの開口部を構成するとともに、当該立設部材の延在面において前記駆動手段を介して回転動作される構成であることを特徴とする遊技機。」
という構成（態様５）を採り得る。
【００８６】
この態様５に記載の遊技機では、態様４に記載の立設部材は、複数の延出片及びスリットを少なくとも備える。この立設部材は、当該立設部材の延在面において駆動手段を介して回転動作される構成になっている。複数の延出片は、円板状に形成された基体の外周に当該基体の延在方向に沿って放射状に延出する延出片である。この複数の延出片が、遊技球との接触によって当該遊技球の流下を規制する球接触部を構成する。スリットは複数の延出片の間に形成される。このスリットが、遊技球の流下を許容する大きさの開口部を構成する。本態様では、立設部材の延出片またはスリットの配置位置が変わることによって、球流下領域を第１の球通過領域や第２の球通過領域に向けて流下する遊技球の流下経路が変化し、第１の球通過領域を遊技球が通過する可能性が変わることとなる。具体的には、立設部材のスリットが、球流下領域の各部位のうち第１の球通過領域に対応した部位に配置されたときに当該スリットを通過した遊技球は、高い確率で第１の球通過領域を通過する。また、球流下領域の各部位のうち第１の球通過領域以外の領域を流下する遊技球は、通常第１の球通過領域を通過する可能性が低いが、延出片に接触することによって、場合によってはスリットを通過して第１の球通過領域を通過する可能性が高まる。
【００８７】
本態様５に記載の遊技機このような構成によれば、球流入装置内に流入した遊技球が、遊技者に有利となる第１の球通過領域を通過するまでの過程に関し、立設部材の回転動作によって遊技者の目を惹きつけることが可能となる。また、立設部材を回転動作させる構成によって、立設部材の動作に関与する領域の大きさを極力抑えることが可能となる。
【００８８】
（態様６）
また、本発明では、
「態様４または態様５に記載の遊技機であって、
前記立設部材は、前記球接触部の各部位のうち上流側に向かう部位が、上流側に向けて突出する山型形状を備える構成であることを特徴とする遊技機。」
という構成（態様６）を採り得る。
【００８９】
この態様６に記載の遊技機では、態様５に記載の立設部材は、球接触部の各部位のうち上流側に向かう部位が、上流側に向けて突出する山型形状を備える構成になっている。ここでいう「山型形状」とは、上流側に向けて突出する部位を有していれば足り、突出する部位の形状や数などは、必要に応じて適宜設定可能である。球接触部を複数の複数の延出片を用いて構成する場合には、当該複数の延出片のうちの少なくとも１つの延出片の上流側に向かう部位に山型形状を設けることができる。これにより、球接触部の山型形状の部位に接触した遊技球は、山型形状の頂部を境にして別の方向に流下することとなる。
【００９０】
本態様６に記載の遊技機このような構成によれば、遊技球が球接触部に接触して変化する流下態様にバリエーションをもたせることができる。特に、球接触部の山型形状の部分が遊技者から見えない、若しくは見えにくくなるように構成することによって、遊技球が球接触部に接触したときの当該遊技球の流下態様の変化が予測しにくくなり、遊技者の興趣が更に高まることとなる。
【００９１】
（態様７）
また、本発明では、
「態様４〜態様６のいずれかに記載の遊技機であって、
前記立設部材は、前記球接触部の各部位のうち上流側に向かう部位が、遊技球を吸着保持可能な磁石を備える構成であることを特徴とする遊技機。」
という構成（態様７）を採り得る。
【００９２】
この態様７に記載の遊技機では、態様４〜態様６のいずれかに記載の立設部材は、球接触部の各部位のうち上流側に向かう部位が、遊技球を吸着保持可能な磁石を備える構成になっている。球接触部を複数の複数の延出片を用いて構成する場合には、当該複数の延出片のうちの少なくとも１つの延出片の上流側に向かう部位に磁石を設ける。これにより、球接触部の磁石に対応した部位に接触した遊技球は、磁石を介して球接触部に吸着保持され、その後、球接触部の動作に伴って吸着保持が解除されることとなる。遊技球の吸着保持が解除される位置が、第１の球通過領域に対応した位置に合致している場合には、当該遊技球が第１の球通過領域を通過する可能性が高まる。
【００９３】
本態様７に記載の遊技機このような構成によれば、遊技球が球接触部に接触して変化する流下態様に更なるバリエーションをもたせることができる。
【００９４】
（態様８）
また、本発明では、
「請求項１、態様１〜態様７のいずれかに記載の遊技機であって、
前記流下経路可変手段の上流に、前記球流入装置内に流入した遊技球の停留が可能な停留可能状態と停留が解除された停留解除状態とに切り換え可能な球停留手段を備える構成であることを特徴とする遊技機。」
という構成（態様８）を採り得る。
【００９５】
この態様８に記載の遊技機では、請求項１、態様１〜態様７のいずれかに記載の流下経路可変手段の上流に、球停留手段を備える構成になっている。この球停留手段は、球流入装置内に流入した遊技球の停留が可能な停留可能状態と停留が解除された停留解除状態とに切り換え可能な機能を有する手段である。
【００９６】
本態様８に記載の遊技機このような構成によれば、流下経路可変手段に向けて遊技球が流下する前に、球停留手段に停留している遊技球の停留位置、停留数等を把握することが可能となる。従って、流下経路可変手段の動作のみならず、球停留手段の切り換え動作によっても遊技者の目を惹きつけることが可能となる。
【図面の簡単な説明】
【００９７】
【図１】本発明の遊技機の第１実施の形態であるパチンコ機１０１の遊技盤１０３の全体構成を示す図である。
【図２】図１中の球停留装置１２０及び球振分け装置１３０の平面図である。
【図３】図１中の球停留装置１２０及び球振分け装置１３０の正面図である。
【図４】図１中の球停留装置１２０及び球振分け装置１３０の斜視図である。
【図５】図４中の球停留装置１２０が「球停留モード」に設定された状態の側面図である。
【図６】図４中の球停留装置１２０が「球停留解除モード」に設定された状態の側面図である。
【図７】図４中の球振分け装置１３０が「第１の球振分けモード」に設定された状態の平面図である。
【図８】図４中の球振分け装置１３０が「第１の球振分けモード」に設定された状態の正面図である。
【図９】図４中の球振分け装置１３０が「第１の球振分けモード」に設定された状態の斜視図である。
【図１０】図４中の球振分け装置１３０が「第２の球振分けモード」に設定された状態の正面図である。
【図１１】図４中の球振分け装置１３０が「第２の球振分けモード」に設定された状態の正面図である。
【図１２】図４中の球振分け装置１３０が「第２の球振分けモード」に設定された状態の斜視図である。
【図１３】パチンコ機１０１の電装システムを示す図である。
【図１４】本発明の遊技機の第２実施の形態であるパチンコ機２０１の遊技盤１０３の全体構成を示す図である。
【図１５】図１４中の球停留装置１２０及び球振分け装置２３０の平面図である。
【図１６】図１４中の球停留装置１２０及び球振分け装置２３０の正面図である。
【図１７】図１４中の球停留装置１２０及び球振分け装置２３０の斜視図である。
【図１８】球振分け装置２３０を構成する回転体２４０の裏面の構造を示す図である。
【図１９】図１７中の球停留装置１２０が「球停留モード」に設定された状態の側面図である。
【図２０】図１７中の球停留装置１２０が「球停留解除モード」に設定された状態の側面図である。
【図２１】回転体２４０のスリット２４５が溝部２３３の位置に合致したときに様子を示す図である。
【図２２】回転体２４０の第２の延出片２４２が溝部２３３の位置に合致したときの様子を示す図である。
【図２３】球停留装置１２０及び球振分け装置３３０の平面図である。
【図２４】球停留装置１２０及び球振分け装置３３０の正面図である。
【図２５】球停留装置１２０及び球振分け装置３３０の斜視図である。
【図２６】図２５中の球停留装置１２０が「球停留解除モード」に設定された状態の側面図である。
【図２７】図２５中の回転体３４０によって一旦保持された遊技球が保持解除された後の状態を示す図である。
【符号の説明】
【００９８】
１０１，２０１  パチンコ機
１０３  遊技盤
１０５  遊技領域
１０７，１０９  第２種始動口
１１０  電動役物装置
１１１  大入賞口
１１２  開閉羽根
１１４，１１５  球流通路
１２０  球停留装置
１２２  棚板
１２３  球停留部材
１２３ａ  球停留部
１２３ｂ  突起部材
１２４  中央開口
１２５  側部開口
１３０  球振分け装置
１３１  回転部材
１３１ａ  溝部
１３２  ガイド部材
１３２ａ  区画領域
１３３  第１のレール部材
１３４  第２のレール部材
１３５  誘導口
１３６  第１の球通過経路
１３７  第２の球通過経路
１３８  第３の球通過経路
１４０  Ｖ入賞ゾーン
１４２  Ｖ入賞検出センサ
１５０，１５１  始動口センサ
１５２  大入賞口センサ
１５８  遊技球センサ
１６０  メイン制御部
１７０  ソレノイド
１７１  駆動部
２３０，３３０  球振分け装置
２３１  球流下領域
２３２  干渉部材
２３３  溝部
２３４  収容孔
２３５  誘導口
２４０，３４０  回転体
２４０ａ  基体
２４１  第１の延出片
２４１ａ，２４２ａ，２４３ａ，２４４ａ  頂部
２４１ｂ，２４１ｃ，２４２ｂ，２４２ｃ，２４３ｂ，２４３ｃ，２４４ｂ，２４４ｃ  傾斜面
２４２  第２の延出片
２４３  第３の延出片
２４４  第４の延出片
２４５  スリット
３４１  磁石
【図１】
2006006839.tif 000003
【図２】
2006006839.tif 000004
【図３】
2006006839.tif 000005
【図４】
2006006839.tif 000006
【図５】
2006006839.tif 000007
【図６】
2006006839.tif 000008
【図７】
2006006839.tif 000009
【図８】
2006006839.tif 000010
【図９】
2006006839.tif 000011
【図１０】
2006006839.tif 000012
【図１１】
2006006839.tif 000013
【図１２】
2006006839.tif 000014
【図１３】
2006006839.tif 000015
【図１４】
2006006839.tif 000016
【図１５】
2006006839.tif 000017
【図１６】
2006006839.tif 000018
【図１７】
2006006839.tif 000019
【図１８】
2006006839.tif 000020
【図１９】
2006006839.tif 000021
【図２０】
2006006839.tif 000022
【図２１】
2006006839.tif 000023
【図２２】
2006006839.tif 000024
【図２３】
2006006839.tif 000025
【図２４】
2006006839.tif 000026
【図２５】
2006006839.tif 000027
【図２６】
2006006839.tif 000028
【図２７】
2006006839.tif 000029